(57)【要約】【課題】アウトガスの発生及びグリースの粘度上昇を抑制すること。【解決手段】基油としてのポリ−α―オレフィン油、エステル油、エーテル油の中の何れか一つ又は二つ以上の混合物、増稠剤としてのウレア化合物と、酸化防止剤としてのベンゾトリアゾール、トリフェニルホスホロチオネート、チオフェノール、ヒンダードアミン、亜リン酸エステルの中の何れか一つ又は二つ以上の混合物と、を含有することを特徴とするグリース組成物、このグリースを採用した転がり軸受及び転がり軸受ユニット。【選択図】図２
2016003322.tif 000002
【特許請求の範囲】
【請求項１】
基油としてのポリ−α―オレフィン油、エステル油、エーテル油の中の何れか一つ又は二つ以上の混合物、増稠剤としてのウレア化合物と、酸化防止剤としてのベンゾトリアゾール、トリフェニルホスホロチオネート、チオフェノール、ヒンダードアミン、亜リン酸エステルの中の何れか一つ又は二つ以上の混合物と、を含有することを特徴とするグリース組成物。
【請求項２】
前記酸化防止剤を前記基油の０．１〜５質量％にて配合することを特徴とする請求項１のグリース組成物。
【請求項３】
外輪と、内輪と、転動体を備える転がり軸受であって、請求項１又は２に記載のグリース組成物が潤滑剤として使用されることを特徴とする転がり軸受。
【請求項４】
２対以上の転がり軸受と、軸部材とを備え、前記転がり軸受は軸部材に固定され、軸部材と一体化構造となっている転がり軸受ユニットであって、請求項１又は２に記載のグリース組成物を使用することを特徴とする転がり軸受ユニット。
【発明の詳細な説明】
【技術分野】
【０００１】
本発明は、潤滑剤組成物、及び該潤滑剤組成物を用いた転がり軸受と転がり軸受ユニットに関するものであり、特に、ＨＤＤ（ハードディスクドライブ装置）の構成部品であるアクチュエータとしてのスイングアームに組み込まれる軸受と軸受ユニットに好適に使用される。
【背景技術】
【０００２】
近年、ＨＤＤ内部の磁気ヘッドと磁気ディスクはそのクリアランスが数ｎｍまで狭まってきており、磁気ディスク表面に僅かな油が付着するだけでも磁気ヘッドの浮上量管理に影響を及ぼし、データの書込み・読出し、エラーの原因となる。そのため、ＨＤＤ内部はクリーン環境が要求され、当該ＨＤＤ装置に用いられる軸受には、よりクリーンな性能（（低アウトガス、低アウトパーティクル）が要求されている。この場合、アウトガスやアウトパーティクルは、軸受ユニットの金属材料、軸受内部の潤滑剤から様々な要因で発生するため、従来から種々の対策が試みられている。
【０００３】
このような低アウトガス化、さらには耐久性の向上を目的として、ＨＤＤのアクチュエータに組み込まれる転がり軸受に対して、所定の配合のグリースを封入してなる軸受ユニットに関する技術が特許文献１に開示されている。そして、上記所定の配合のグリースは、パラフィン系炭化水素を含有する基油に増ちょう剤としてポリウレア化合物を配合してなるグリースとされている。
【先行技術文献】
【特許文献】
【０００４】
【特許文献１】特開２００２−１４６３７７号公報
【発明の概要】
【発明が解決しようとする課題】
【０００５】
しかしながら、特許文献１に記載したグリースは、使用するパラフィン炭化水素の炭素数３０以下を３０ｐｐｍまでとし、また減圧処理を行うことにより、アウトガス削減に一定の効果があるが、それによりグリースの粘度が高いものとなり、軸受の常温でのトルク高、及び低温時（−１０℃程度）のトルク上昇が大きくなり、アクチュエータの応答速度を低下させる虞がある。
【課題を解決するための手段】
【０００６】
従って、本発明は上記の課題を解決する為に、本発明の第１の発明は、基油としてのポリ−α−オレフィン油、エステル油、エーテル油の中の何れか一つ又は二つ以上の混合物、増稠剤としてのウレア化合物と、酸化防止剤としてのベンゾトリアゾール、トリフェニルホスホロチオネート、チオフェノール、ヒンダードアミン、亜リン酸エステルの中の何れか一つ又は二つ以上の混合物と、を含有することを特徴とするグリース組成物を提供している。
酸化防止剤を前記基油の０．１〜５質量％にて配合することが好ましい。
本発明の第２の発明は、外輪と、内輪と、転動体を備える転がり軸受であって、請求項１又は２に記載のグリース組成物が潤滑剤として使用されることを特徴とする転がり軸受を提供している。
本発明の第３の発明は、２対以上の転がり軸受と、軸部材（必要に応じてスリーブ部材を有しても良い）とを備え、前記転がり軸受は軸部材に固定され、軸部材と一体化構造となっている転がり軸受ユニットであって、請求項１又は２に記載のグリース組成物を使用することを特徴とする転がり軸受ユニットを提供している。
【発明の効果】
【０００７】
本発明のグリース組成物は、グリースの酸化劣化を抑制することにより、アウトガスの発生を有効に抑制することができるとともに、粘度上昇を抑制することができる。
また、本発明の転がり軸受と転がり軸受ユニットは、上述のグリース組成物を採用しているので、アウトガスとしてのグリース成分が転がり軸受ユニット外へ飛散し、ＨＤＤ内部のヘッド・メディアに付着することによるデータの読出し・書込みエラー発生を抑制することが出来、また、グリースの酸化劣化抑制による転がり軸受及び転がり軸受ユニットの長寿命化を実現できる。
【図面の簡単な説明】
【０００８】
【図１】（ａ）はＨＤＤの全体構成を示す平面図、（ｂ）は本発明の実施例１に係る転がり軸受ユニットを示す断面図である。
【図２】本発明の実施例２に係る転がり軸受ユニットを示す断面図である。
【発明を実施するための形態】
【０００９】
以下、本発明に関して詳細に説明する。
【００１０】
本発明のグリース組成物において、基油としては、ポリ―α―オレフィン油、エーテル油、エステル油が挙げられ、これらは単独又は２種以上混合して用いることができる。エーテル油としては、ジアルキルジフェニルエーテル油を使用することができる。
【００１１】
エステル油の種類には制限がないが、ジエステル油、ポリオールエステル油、芳香族エステル油等を好適に使用できる。具体的には、ジエステル油として、ジオクチルアジペート、ジイソブチルアジペート、ジブチルアジペート、ジオクチルアゼレート、ジブチルセバケート、ジオクチルセバケート等を挙げることができる。ポリオールエステル油として、Ｃ４〜Ｃ１ ８ のアルキル鎖が誘導されたペンタエリスリトールエステル油、同ジペンタエリスリトールエステル油、同トリペンタエリスリトール油、ネオペンチル型ジオールエステル油、トリメチロールプロパンエステル油等を挙げることができる。芳香族エステル油として、ポリオールエステル油、あるいはトリオクチルトリメリテート、トリデシルトリメリテート、テトラオクチルピロメリテート等を挙げることができる。また、これらは単独でも、適宜組み合わせて使用してもよい。
【００１２】
増稠剤としてのウレアは、ジウレア、トリウレア、テトラウレアを用いることができる。ジウレアとしては、芳香族系ジウレア、脂肪族系ジウレア、脂環族系ジウレアを用いることができる。増ちょう剤の量は、グリース全量の５〜２０質量％とする。増ちょう剤のちょう度は、ＪＩＳ規格の２４０〜２９５のものを採用することが好ましい。
【００１３】
酸化防止剤としては、ベンゾトリアゾール、トリフェニルホスホロチオネート、ヒンダードアミン、チオフェノール、亜リン酸エステルが挙げられ、これらは単独又は２種以上混合して用いることができる。酸化防止剤を基油の０．１〜５質量％にて配合することが好ましい。  
【００１４】
チオフェノール類は、分子内に硫黄原子とフェノール基とを備え、パーオキシラジカルを捕捉して酸化の連鎖反応を停止させる機能（１次酸化防止機能とも呼ばれる）と、パーオキサイドと反応して非遊離基や不活性物質を生成する機能（２次酸化防止機能とも呼ばれる）とを兼備し、両機能により特に優れた酸化防止性能を示す。また、チオフェノール類は、硫黄原子が潤滑部位の表面を保護するため、潤滑性や耐摩耗性、耐荷重性の向上にも寄与する。尚、チオフェノール類として、例えば、２，２−チオ−ジエチレンビス〔３−（３，５−ジ−第３ブチル−４−ヒドロキシフェニル）プロピオネート〕を好
適に使用できる。
【００１５】
ヒンダードアミン類は、上記の１次酸化防止機能を有し、単独使用でも優れた酸化防止性能を示す。ヒンダードアミン類としては、ビス（２，２，６，６−テトラメチル−４−ピペリジル）セバケート、ビス（１，２，２，６，６−ペンタメチル−４−ピペリジル）セバケート、テトラキシ（２，２，６，６−テトラメチル−４−ピペリジル）１，２，３，４−ブタンテトラカルボキシレート、デカン二酸ビス（２，２，６，６−テトラメチル−１（オクチルオキシ）−４−ピペリジニルエステル、１，１−ジメチルヒドロキシペルオキシド等を好適に使用できる。また、ヒンダードアミン類は光に対する耐性（耐光性）も有するため、グリース組成物の紫外線等による劣化も抑えられる。
【００１６】
亜リン酸エステル類は、上記の二次酸化防止機能を有し、単独使用でも優れた酸化防止性能を示す。亜リン酸エステル類としては、トリス（ノニル・フェニル）ホスファイト、トリス（混合モノ−及びジ−ノニルフェニル）ホスファイト、ジフェニル・モノ（２−エチルヘキシル）ホスファイト、トリイソデシルホスファイト、ジフェニルイソデシルホスファイト、テトラフェニルテトラ（トリデシル）ペンタエリスリトールテトラホスファイト等を好適に使用できる。
【００１７】
次に、本実施形態の転がり軸受及び転がり軸受ユニットについて説明する。
【００１８】
＜実施例１＞
図１に示す玉軸受ユニット１０において、玉軸受１４、１６には、相対回転可能に対向して配置された一対の軌道輪として、内輪１４ａ、１６ａ及び外輪１４ｂ、１６ｂと、当該軌道輪の間に転動自在に組み込まれた複数の転動体としての玉１４ｃ、１６ｃと、当該玉１４ｃ、１６ｃを１つずつ回転自在に保持する保持器１４ｄ、１６ｄが備えられている。そして、軌道輪の間には、軸受内部を密封するための密封部材としての、非接触型のシールド１４ｅ、１６ｅが介在され、これにより、軸受外部からの異物（例えば、塵埃）の侵入が防止されているとともに、軸受内部へ封入したグリース組成物の軸受外部への漏洩（発塵、ガス）が防止されている。
【００１９】
そして、かかる玉軸受１４、１６は、内輪１４ａ、１６ａが軸１２に外嵌されているとともに、外輪１４ｂ、１６ｂがスリーブ１８に内嵌された状態で、当該スリーブ１８に装着されたスイングアーム８を回動自在に軸支している。また、スリーブ１８の内周部には、玉軸受１４、１６相互間に介在するように環状の間座２０が嵌合されている。これにより、玉軸受１４、１６が所定の予圧を付与された状態で所定位置に位置決め固定され、ガタつくこと無く安定して回動可能な状態となり、スイングアーム８を応答性良くスムーズに回動させることができる。
【００２０】
＜実施例２＞
図２に示すように、ＨＤＤスイングアーム用玉軸受ユニット１０は、軸方向一端部にフランジ部１２ａを有する軸部材１２と、軸部材１２の周囲に、並列に配置される一対の玉軸受１４，１６と、を有する。一対の玉軸受１４，１６は、内輪１４ａ、１６ａと、外輪１４ｂ、１６ｂと、該内輪１４ａ、１６ａ及び外輪１４ｂ、１６ｂ間に配置される複数の玉（転動体）１４ｃ、１６ｃと、該複数の玉１４ｃ、１６ｃをそれぞれ保持する保持器１４ｄ、１６ｄと、該外輪の軸方向両端部に配置される密封部材としての非接触型のシールド１４ｅ、１６ｅと、をそれぞれ備える。また、玉軸受１４、１６の外輪１４ｂ、１６ｂ間には、環状の間座２０が介在している。これにより、玉軸受１４、１６が所定の予圧を付与された状態で所定位置に位置決め固定されている。
【００２１】
本実施形態のグリース組成物は、上記の２つの実施例に示す玉軸受及び玉軸受ユニットに使用されるので、ＨＤＤスイングアーム用軸受のアウトガス発生を有効に抑制することができ、酸化劣化によるグリース粘度の上昇による軸受の寿命低下も抑制することができる。
【００２２】
本発明のグリース組成物の製造工程に減圧処理を施しても良い。また、転がり軸受ユニットの製造工程に減圧処理を施しても良い。
【符号の説明】
【００２３】
１０              玉軸受ユニット
１４、１６         玉軸受
１４ａ、１６ａ     内輪
１４ｂ、１６ｂ     外輪
１４ｃ、１６ｃ     玉（転動体）
１４ｄ、１６ｄ     保持器
１４ｅ、１６ｅ     非接触型のシールド
１８               スリーブ
【図１】
2016003322.tif 000003
【図２】
2016003322.tif 000004